(57)【要約】【課題】本発明は、蓋体とカバー体との間隙に、取り替え可能な装飾部材を収容し、飽きがなく外観を装飾することのできる電子機器装置を提供することを課題とする。【解決手段】本発明の電子機器装置１は、内部に制御手段を設け上面に入力手段を設けた本体部筐体３と、本体部筐体３に対し回動自在に取り付けられた蓋体５とから構成され、内面に表示手段が設けられた蓋体５の表面にカバー体９と当該カバー体９の全周囲若しくは一部と嵌合可能な外形形状を有した凹部７が設けられ、当該凹部７に対してカバー体９が着脱自在に装着されて成る。【選択図】  図１
2004240694.tif 000002
【特許請求の範囲】
【請求項１】
内部に制御手段を設け上面に当該制御手段に対する入力手段を設けた本体部筐体と、閉じた状態で前記本体部筐体の上面を覆い当該本体部筐体に対して回動自在に取り付けられた蓋体とを有した電子機器装置であって、
前記蓋体の内面には、前記制御手段によって駆動される表示手段が設けられ、前記蓋体の表面には、カバー体と当該カバー体の全周囲若しくは一部と嵌合可能な外形形状を有した凹部が設けられており、当該凹部に対してカバー体が着脱自在に装着されるようになっていることを特徴とする電子機器装置。
【請求項２】
前記カバー体は板状に形成されており、当該カバー体又は当該カバー体が装着される前記凹部には、前記カバー体の裏面と前記蓋体に形成した凹部の底面との間に空間を設けるための間隔保持手段が設けられていることを特徴とする請求項１記載の電子機器装置。
【請求項３】
前記蓋体の表面は、合成樹脂の一体成型によって形成された外郭体によって形成されており、当該外郭体の表面に前記カバー体が装着される凹部を形成し、当該凹部を形成した部位の裏面には当該外郭体の変形、破壊等を防止するための補強手段が設けられていることを特徴とする請求項１又は２記載の電子機器装置。
【発明の詳細な説明】
【０００１】
【発明の属する技術分野】
本願発明は、本体部に対して回動自在な蓋体を有したノート型パーソナルコンピュータ又はノート型パーソナルコンピュータ形状の玩具、その他電子機器装置に関する。
【０００２】
【従来の技術】
従来、キーボードを設けた本体部に対して液晶表示画面を設けた蓋体を開閉自在に取り付けた所謂「ノート型パソコン」（特許文献１）等の電子機器装置が知られている。
また、子供向けコンピュータ又はコンピュータ玩具として、ノート型パソコンの形態に形成されたその他の電子機器装置が知られている。
【０００３】
【特許文献１】
特開２００１−１２５６６８号
【０００４】
【発明が解決しようとする課題】
上記電子機器は、内面に液晶表示装置を有した蓋体が回動自在に取付られたものである。蓋体は、未使用時において電子機器の本体部に対して閉じる（折り畳み）ことで電子機器の形態をコンパクトにし、使用時において開くことで前記液晶表示装置を視認可能な姿勢に保持するという機能を有するものである。このように従来の電子機器における蓋体は、主に未使用時の小型化と使用時の液晶表示装置の保持を目的として設けられたものであり、これ以外に他の機能を備えた蓋体を有する電子機器は見受けられなかった。
また、蓋体は電子機器の外観を構成する部位であるから、色、模様等のデザインは重要である。しかし、従来の蓋体の場合、そのデザインは固定的なものであり、任意に変えたりすることができないものであった。
【０００５】
本願発明は、上記の点に鑑み案出されたものであって、メーカーにおける電子機器の出荷時若しくは使用者による購入後において、蓋体のデザインを変更できるような電子機器装置および当該蓋体の構造を提供することをその課題とするものである。
【０００６】
【課題を解決するための手段】
内部に制御手段を設け上面に当該制御手段に対する入力手段を設けた本体部筐体と、閉じた状態で前記本体部筐体の上面を覆い当該本体部筐体に対して回動自在に取り付けられた蓋体とを有した電子機器装置であって、
前記蓋体の内面には、前記制御手段によって駆動される表示手段が設けられ、前記蓋体の表面には、カバー体と当該カバー体の全周囲若しくは一部と嵌合可能な外形形状を有した凹部が設けられており、当該凹部に対してカバー体が着脱自在に装着されるようになっていることを特徴とする電子機器装置。
【０００７】前記カバー体は板状に形成されており、当該カバー体又は当該カバー体が装着される前記凹部には、前記カバー体の裏面と前記蓋体に形成した凹部の底面との間に空間を設けるための間隔保持手段が設けられていることを特徴とする請求項１記載の電子機器装置。
【０００８】前記蓋体の表面は、合成樹脂の一体成型によって形成された外郭体によって形成されており、当該外郭体の表面に前記カバー体が装着される凹部を形成し、当該凹部を形成した部位の裏面には当該外郭体の変形、破壊等を防止するための補強手段が設けられていることを特徴とする請求項１又は２記載の電子機器装置。
【０００９】
【発明の実施の形態】
以下、本願発明に係る電子機器装置の一実施の形態について、図面を参照して説明する。
図１は、本発明の第１の実施の形態に係る電子機器装置１の外観を示す斜視図である。電子機器装置１は、主な構成として内部に制御手段（ＣＰＵ、ＲＯＭ、ＲＡＭ、その他各デバイスを含む）を有し上面に当該制御手段に対する入力手段等を設けた本体部筐体３と、当該本体部筐体３の一側にヒンジによって開閉自在に取り付けた蓋体５とによって構成されている。
また、図２に示すように、蓋体５の表面には一定深さの凹部７が形成されており、当該凹部７には装飾板（装飾部材）１１が収容された状態でカバー体９が装着されるようになっている。当該凹部７、装飾板１１、カバー体９等の詳細については後述する。
【００１０】
図１において示すように、本体部筐体３は、キーボード、各種スイッチ類が設けられた操作部４を上面に有し、前述した蓋体５をその後部縁においてヒンジ連結した、外形が略方形の板状に形成された部材である。
当該本体部筐体３内には、操作部４による入力等に基づいて所定のプログラムを実行し、蓋体５に設けた表示手段６に対して所定の画像を表示させる等の制御を行う前記制御手段（図示せず）が設けられている。
【００１１】
蓋体５は、前記本体部筐体３の上面をほぼ覆う大きさ及び形状に形成された薄板状の部材として形成されており、一端縁が本体部筐体３の後端縁に対してヒンジ連結されたものである。蓋体５の操作部４と対向する面（以下「内面」という。）には表示手段６として液晶表示装置が設けられている。また、蓋体５の表面には前述した凹部７が設けられている。
以上のように電子機器装置１は、本体部筐体３と蓋体５とが回動自在に設けられた所謂ノート型パソコンの形態として形成されたものである。
【００１２】
図３は、蓋体５の表面部を構成する外郭部材８を示す斜視図であり、図３（ａ）は当該外郭部材８の表面５ａ、図３（ｂ）は当該外郭部材８の裏面５ｂをそれぞれ斜視図として示したものである。
当該外郭部材８は、本実施の形態では合成樹脂等による一体成型によって形成されたものであり、表面５ａには所定の彩色が行われたものである。
外郭部材８の一側縁には、中央を除いた左右に前記本体部筐体３に開閉自在に取り付けるための取付部１３が形成されている。
【００１３】
また、蓋体５の表面（外郭部材８の表面５ａ）には、所定形状に形成された凹部７が設けられている。凹部７は、本実施の形態では、最適な形態として輪郭形状が略ひょうたん型であって、表面からの深さが略１．９ｍｍ程度となるように形成されている。また、前記略ひょうたん型に形成された凹部７は、両端部（蓋体５の左右両側部１５、１７）まで設けられており、これにより蓋体５の左右両側縁部が部分的に切り欠かれたようになっている。当該部分的に切り欠かれたようになっている両側部１５、１７には、後述するカバー体９を係止するための係止部材１９、２１がそれぞれ設けられている（図３（ｂ）参照）。
なお、当該凹部７の輪郭形状および深さは、仕様により適時変更されるものであり、当該形状および寸法に限定されるものではない。
【００１４】
外郭部材８の裏面５ｂには、表面５ａに設けられた凹部７の輪郭に相当する部分に、凸状（以下「第１の凸条」という）２３が設けられている。当該第１の凸条２３は、薄肉に形成された外郭部材８に対する凹部７の形成に伴って生じた段差に沿って形成されたものであり、当該段差が形成された部位の肉厚を厚くすることで外郭部材８を補強するものである。
また、前記凹部７の底部である平坦部の反対面である外郭部材８の裏面５ｂ（凹部７の裏面）には、２本の直線状の凸条（以下「第２の凸条」という）２５が左右方向に亘って設けられている。当該第２の凸条２５は、凹部７の底部である平坦面を補強し、押圧等による破損や内部装置の破壊等を防止するためのものである。特に、凹部７を設けた部位の内部には液晶表示装置が設けられているので、当該装置に対して局部的な外力が働かないようにすることができる。
【００１５】
つぎに図４を用いて、カバー体９の構造について説明する。
図４は、カバー体９を表した斜視図であり、図４（ａ）はカバー体９の表面９ａを示し、図４（ｂ）はカバー体９の裏面９ｂを示している。
カバー体９は、前記蓋体５に設けられた凹部７に対して着脱自在に装着され、当該凹部７を覆うものである。また、カバー体９は、無色若しくは着色された透明な合成樹脂によって形成されており、前記凹部７に装着した際に、詳しくは後述する凹部７内に収容した装飾部材１１を透視できるように構成されたものである。
【００１６】
前述のように、カバー体９の外形は、前記凹部７の外周の輪郭形状と略一致する形状にされている。そして、このカバー体９の周縁２７には、凹部７と対向する側に端縁を折り曲げらることにより形成したリブ状の突出縁（第１突出縁）２９が形成されている。すなわち、当該突出縁２９はカバー体９の裏面９ｂから突出しており、カバー体９を凹部７に装着した際に、突出縁２９によってカバー体９の表面が蓋体５の他の表面部位と同じ高さとなり、蓋体５の表面が平坦面となるようになっている。また、突出縁２９によって、周縁を除くカバー体９の裏面には、凹部７の底面との間に空間が形成されるようになっている。当該空間には後述する装飾板１１や他の部材が収容可能となっている。
また、このカバー体９の周縁２７の内、蓋体５と本体部筐体３の取り付け位置付近となる部分には、他の突出縁２９よりも突出量を多くした突出縁（第２突出縁）３０が形成されている。
前記カバー体９の周縁２７に設けられた第１突出縁２９および第２突出縁３０によって、前述のように凹部７の底面との間に空間を形成したり、カバー体９に対する外力による変形、破損当を防止することができるようになっている。
【００１７】
カバー体９の左右両側部３１、３３には、それぞれ前記蓋体５に設けられた係止部材１９、２１と係合し、当該係止部材１９、２１に対して着脱自在に係止される係止部３５、３７が設けられている。当該係止部３５、３７は、左右両側部３１、３３に断面が略「コの字」状となるような折り曲げを有した部位である。当該係止部３５、３７は、蓋体５に摺動可能に設けられた係止部材１９、２１と係合するようになっており、本実施の形態では係止部材１９、２１を前方にスライドさせると係合し、後方にスライドさせると係合が解除されるように構成されている。
【００１８】
装飾板１１について説明する。装飾板１１は、前述のように凹部７とカバー体９との間に形成された収容部に収容されるものであり、外形が前記凹部７の輪郭形状と略同形であるひょうたん型に形成された板状若しくはシート状に形成され、絵柄等が描かれ若しくは所定の彩色が施されたものである。
この装飾板１１は、紙、プラスチック等の合成樹脂、布、その他種々の素材によって形成することができる。また、装飾板１１は、当該電子機器装置１の使用者が好みの絵柄が描かれた紙や写真等を前記凹部７に収容可能な大きさにカットしたものであってもよい。
【００１９】
以上説明した電子機器装置１は、次に述べる作用を説明する。
第１に、ノート型パソコン若しくはノート型パソコンの形状を真似て形成された学習器具、電子玩具等に本願電子機器装置１の構造を適用することができるので、従来単一色だけで構成されることが多かった蓋体に対して種々の装飾を施すことができる。すなわち、蓋体５表面には着脱自在のカバー体９が設けられ、当該カバー体９を介して内部に収容された装飾板１１を見ることができるようになっているので、当該装飾板１１を取り替えることで美観の異なる蓋体を構成することができるという作用を有する。
第２に、凹部７に対して簡単にカバー体９の着脱が行うことができ、装飾板１１の装着、交換等を容易に行うことができるという作用を有する。
すなわち、蓋体５からすでに装着されているカバー体９を取り外す場合には、蓋体５の左右両側部に設けられた係止部材１９、２１を後方へスライドさせることで、当該係止部材１９、２１とカバー体９に設けた係止部３５、３７との係合を解除し、これによりカバー体９を取り外すことができるようになる。カバー体９を取り外すと凹部７が露出するので、当該凹部７内にすでに装着されている装飾板を取出し、新たな装飾板を装着することができる。そして、カバー体９を装着し係止部材１９、２１を前方へスライドさせることで、係止部材１９、２１とカバー体９に設けた係止部３５、３７とを係合させ、カバー体９を蓋体に固定することができる。
【００２０】
第３に、本願に係る電子機器装置１に設けられている蓋体の構造的な作用を説明する。前述のように蓋体５の表面を構成する部材は、合成樹脂の成型によって形成された肉厚の薄い外郭部材８によって構成されている。蓋体５の表面に凹凸を付けず均一の肉厚によって平坦に形成した場合には、当然ながら弱い力でも変形してしまうことになる。これに対して本願発明に係る蓋体５では、凹部７を設けることで外郭部材８の表面形状を不均一とし、変形防止用のリブを設けたのと同様の作用により蓋体５（外郭部材８）の強度を高めることができる。
また、本実施の形態の場合には、外郭部材８の裏面であって凹部７の輪郭部分には、当該部位の肉厚を厚くして強度を高めることを目的として、輪郭部分に沿って凸条２３が設けられている。これにより、さらに外郭部材８の外力等に対する強度を高めことができるようになっている。
さらに、凹部７内の底面部は平坦面となっていて変形しやすくなっているが、この部位の裏面に前記凸条２５を設けることで変形を防止することができている。なお、図示しての説明は省略するが、本実施の形態の場合、蓋体５内の凸条２５を設けた部位付近には液晶表示装置が設けられているが、凸条２５の作用によって外郭部材８の変形を防止し、外部からの押圧等に伴う液晶表示装置の破損等を防止することができるという作用を有している。
【００２１】
つぎに本願発明に係る電子機器装置の第２の実施の形態について説明する。
図５は、第２の実施の形態に係る電子機器装置６０の構成を示した斜視図である。当該電子機器装置６０の構成要素は、前述した第１の実施の形態に係る電子機器装置１と共通する部分が多いので、以下第２の実施の形態の説明においては、電子機器装置１と共通する部分についてはその説明を省略し、本実施の形態の特徴部分を中心に説明する。
第２の実施の形態における電子機器装置６０も、蓋体６３の表面に形成した凹部６５に対してカバー体７１が着脱自在に取り付けられるように形成されたものである。なお、主に、当該凹部６５とカバー体７１の構造が前述した第１の実施の形態と異なるところである。
【００２２】
第１の実施の形態に係る電子機器装置の蓋体では、凹部内に凹凸は設けられておらず平坦面に形成されていた。これに対して、第２の実施の形態に係る電子機器装置６０の蓋体６３においては凹部６５の底面に複数の凸条６７を格子状に設けたことを特徴とする。
当該凸条６７は、凹部６５にカバー体７１を装着した際に、カバー体７１の裏面を支える作用を有しており、凹部６５の底面とカバー体７１の裏面との間に所定の間隔を設け空間を形成するための間隔保持手段となっている。
凸条６７の上端面の位置は、蓋体６３の表面位置よりも所定の寸法だけ低い位置となるように設定されている。すなわち、カバー体７１の厚み分とシート等の装飾体の厚み分だけ低く形成されている。これにより、凹部６５内に前述したような装飾体を収容し、カバー体７１を装着した際に、蓋体６３の表面位置とカバー体７１の表面位置が略等しい高さとなるようになっている。
【００２３】
カバー体７１について説明する。カバー体７１は、第１の実施の形態に係るものと同様に蓋体６３に設けられた凹部６５に対して着脱自在に装着され、当該凹部６５を覆うものである。また、カバー体７１は、無色若しくは着色された透明な合成樹脂によって形成されており、前記凹部６５に装着した際に凹部６５内に収容した装飾部材が透視できるように構成されたものである。
本第２の実施の形態に係るカバー体７１は周囲にリブ状の突出縁を有しておらず、この点で第１の実施の形態に係るカバー体と相違する。第１の実施の形態では、前記周囲にリブ状の突出縁によって、カバー体の強度を高め、カバー体を凹部に対して適切な高さで装着している。これに対して、本実施の形態では、凸条６７によってカバー体を保持するようにしているため、カバー体周囲に突出縁を設けていない。また、カバー体７１を装着した後には、格子状に設けられた凸条６７の上端面によって支えられるため、外力に対するカバー体７１の破損、変形を防止している。
なお、前記凸条６７は、第１の実施の形態における凹部の裏面に設けた２本の凸条（第２の凸条２５）と同様に凹部６５を補強する作用を有している。
【００２４】
また、本第２の実施の形態では、蓋体６３の凹部６５に格子状に設けられた凸条６７によって複数の空間６９が形成されるので、個々の空間６９にそれぞれ装飾部材を収容して電子機器装置６０を装飾することができる。当該空間６９に収容される装飾部材は、各空間６９の外形形状に合わせて所定の形状に形成された模様シート等であってもよいし、ビーズ等のような小物品であってもよい。
【００２５】
【実施例】
上記第２の実施の形態では、蓋体６３に設けられた凹部６５に凸条６７を格子状に形成した例を説明したが、当該凸条６７によって迷路を形成してもよい。すなわち、小さなボール状のものを１つ収容し、電子機器装置を前後左右に傾けることにより迷路内にボールを転がすように構成しても良い。
また、前述した各実施の形態では、蓋体に設けた凹部が１つの場合である例について説明したが、蓋体に複数箇所の凹部を形成してもよい。
また、前述した各実施の形態では、蓋体に設けた凹部の形状をひょうたん型に形成した例を説明したが、当該形状に限られず星形、動物の型、幾何学模様等、他の形状であってもよい。
【００２６】
また、前述の第１の実施の形態および第２の実施の形態では、所定形状の外縁形状を有する凹部を蓋体の一部に形成し、その凹部にカバー体を着脱自在に装着可能とした例ついて説明したが、透明なカバー体によって蓋体の表面全体を覆うようにしてもよい。
なお、蓋体表面の全体を覆うカバー体は、全面が透明であってもよいが、部分的に窓のような透明部を形成し、他の部分を所定の色で構成してもよい。
【００２７】
【発明の効果】
本願発明の電子機器装置によると、電子機器装置の蓋体に凹部を設けカバー体で覆うようにしたため、凹部とカバー体の間隙に装飾部材を収容して電子機器装置を装飾することができるようになる。
また、カバー体は蓋体から着脱自在に構成されているため、使用者自身の好みの装飾部材に取り替えることができる。また装飾部材を取り替えることができることから、自己使用の電子機器装置が容易に区別できるようになる。また、装飾部材を取り替えることができるため、飽きることなく電子機器装置を装飾して楽しむことができるようになる。
さらに、本願発明の電子機器装置によると、蓋体の裏面に凸状部あるいは表面の凹部に間隔保持手段を設けることにより、凹部により薄くなった部分の蓋体を補強し歪みを防止することができる。また凹部に間隔保持手段を設けることにより複数の空間を形成することもでき、種々の装飾部材を収容することができるようになる。
【図面の簡単な説明】
【図１】本願発明の一実施の形態に電子機器装置の外観を示す斜視図である。
【図２】本願発明の一実施の形態に係る第１の実施の形態としての電子機器装置の構成を示す斜視図である。
【図３】本願発明の第１の実施の形態に係る電子機器装置の蓋体の構成を示す斜視図である。
【図４】本願発明の第１の実施の形態に係る電子機器装置の蓋体に取付けるカバー体の構成を示す斜視図である。
【図５】本願発明の第２の実施の形態に係る電子機器装置の構成を示す斜視図である。
【符号の説明】
１  電子機器装置
３  本体部筐体
４  操作部
５  蓋体
６  表示手段
７  凹部
８  外郭部材
９  カバー体
１１  装飾板（装飾部材）
１３  取付部
１５  側部（蓋体）
１７  側部（蓋体）
１９  係止部材
２１  係止部材
２３  第１の凸条
２５  第２の凸条
２７  縁
２９  突出縁
３０  第２突出縁
３１  側部（カバー体）
３３  側部（カバー体）
３５  止め部
３７  止め部
６０  電子機器装置
６３  蓋体
６５  凹部
６７  仕切部
６９  空間
７１  カバー体
【図１】
2004240694.tif 000003
【図２】
2004240694.tif 000004
【図３】
2004240694.tif 000005
【図４】
2004240694.tif 000006
【図５】
2004240694.tif 000007